(57)【要約】【課題】ノズルに機能性を付与しながら、収容された薬液の変質を抑制することができる点眼容器を提供する。【解決手段】点眼容器は、容器の内外を連通する筒状の口部１３が形成された容器本体１０と、容器本体１０の口部１３に基端側が嵌入された筒状のノズル２０と、を備え、ノズル２０は、樹脂によって形成された内筒２１と、樹脂によって形成された外筒３１とを有し、内筒２１は、基端において径方向外側に突出する環状部２２を含み、外筒３１は、環状部２２よりも先端側において内筒２１の外周に配置され、環状部２２の外周は、口部１３の内周面１３ａと全周にわたって密着し、外筒３１を構成する樹脂には、機能性添加剤が含有されている。【選択図】図４
2018007961.tif 000002
【特許請求の範囲】
【請求項１】
容器の内外を連通する筒状の口部が形成された容器本体と、
前記容器本体の前記口部に基端側が嵌入された筒状のノズルと、を備え、
前記ノズルは、樹脂によって形成された内筒と、樹脂によって形成された外筒とを有し、
前記内筒は、基端において径方向外側に突出する環状部を含み、
前記外筒は、前記環状部よりも先端側において前記内筒の外周に配置され、
前記環状部の外周は、前記口部の内周面と全周にわたって密着し、
前記外筒を構成する樹脂には、機能性添加剤が含有されている、点眼容器。
【請求項２】
前記内筒を形成する樹脂は硬質の樹脂であり、
前記外筒を形成する樹脂は、前記内筒を形成する樹脂よりも軟質の樹脂である、請求項１に記載の点眼容器。
【請求項３】
前記機能性添加剤は、着色剤、撥水剤、抗菌剤及び離型剤のうちの少なくとも一つである、請求項１又は２に記載の点眼容器。
【請求項４】
前記外筒を構成する樹脂に含有させる前記機能性添加剤は、前記外筒を構成する樹脂についての不適合添加剤である、請求項１〜３のいずれか一項に記載の点眼容器。
【発明の詳細な説明】
【技術分野】
【０００１】
本発明は、点眼容器に関する。
【背景技術】
【０００２】
従来、薬液を収容する容器本体と、容器本体に設けられるノズルとを備えた点眼容器が知られている。例えば特許文献１に開示されている点眼容器は、内外を連通する口部が形成された容器本体と、容器本体の口部に嵌入された筒状のノズルとを備えている。
【先行技術文献】
【特許文献】
【０００３】
【特許文献１】特開２００４−１９６４１７号公報
【発明の概要】
【発明が解決しようとする課題】
【０００４】
一般に、容器本体に形成された口部にノズルが取り付けられた点眼容器では、使用時以外であっても、容器本体に収容された薬液がノズルに接触し得る態様となっている。このような点眼容器では、ノズルから溶出する化学物質の種類や量が、内容医薬品と物理的又は化学的に作用してその性状又は品質に影響を与えないように、例えば薬発第三三六号のような所定の基準によって定められている。そのため、ノズルを形成する樹脂に添加剤を含有させることによって、ノズル部分に所定の機能を付与することが困難となっている。
【０００５】
本発明の一側面は、ノズルに機能性を付与しながら、収容された薬液の変質を抑制することができる点眼容器を提供することを目的とする。
【課題を解決するための手段】
【０００６】
一側面の点眼容器は、容器の内外を連通する筒状の口部が形成された容器本体と、容器本体の口部に基端側が嵌入された筒状のノズルと、を備え、ノズルは、樹脂によって形成された内筒と、樹脂によって形成された外筒とを有し、内筒は、基端において径方向外側に突出する環状部を含み、外筒は、環状部よりも先端側において内筒の外周に配置され、環状部の外周は、口部の内周面と全周にわたって密着し、外筒を構成する軟質の樹脂には、機能性添加剤が含有されている。
【０００７】
上記の点眼容器では、内筒と外筒とによって形成されたノズルが、容器本体に形成された口部の内側に嵌入されている。このノズルでは、外筒が内筒の環状部よりも先端側に配置されている。そのため、ノズルの基端側は、外筒から露出した内筒の環状部によって構成される。口部にノズルが嵌入されている状態では、口部の内周面に環状部が密着しているので、容器本体に収容された薬液が外筒に接触することが抑制される。これにより、外筒を形成する樹脂に対して機能性添加剤を含有させたとしても、薬液中に機能性添加剤が溶出することがない。したがって、ノズルに機能性を付与しながら、収容された薬液の変質を抑制することができる。
【０００８】
また、一側面においては、内筒を形成する樹脂は硬質の樹脂であり、外筒を形成する樹脂は、内筒を形成する樹脂よりも軟質の樹脂であってもよい。一般に、ポリエチレンのような軟質の樹脂によってノズルが形成される場合、薬液に含まれる成分がノズルを形成する樹脂に吸着されることで、薬液が変質する虞がある。上記の構成では、軟質の樹脂によって形成された外筒が薬液と接触しないので、薬液の成分が吸着されることを抑制できる。
【０００９】
また、一側面においては、機能性添加剤は、着色剤、撥水剤、抗菌剤、離型剤のうちの少なくとも一つであってもよい。この場合、ノズルに対して色彩、撥水性、抗菌性、及び、製造時における離型性のうち少なくとも一つを付与することができる。
【００１０】
また、外筒を構成する樹脂に含有させる機能性添加剤は、外筒を構成する樹脂についての不適合添加剤であってもよい。外筒を形成する樹脂に対して不適合添加剤を含有させたとしても、薬液中に不適合添加剤が溶出することがない。
【発明の効果】
【００１１】
一側面の点眼容器によれば、ノズルに機能性を付与しながら、収容された薬液の変質を抑制することができる。
【図面の簡単な説明】
【００１２】
【図１】一実施形態に係る点眼容器の正面図である。
【図２】点眼容器の縦断面図である。
【図３】ノズルを示す図であり、（ａ）は正面図であり、（ｂ）は縦断面図である。
【図４】図２の一部拡大図である。
【発明を実施するための形態】
【００１３】
以下、本発明に係る実施の形態について図面を参照しながら具体的に説明する。便宜上、実質的に同一の要素には同一の符号を付し、その説明を省略する場合がある。また、以下の説明において、「同じ」とは、製造上の誤差等を考慮したものであり、厳密に同じである場合だけでなく、機能上同じと見做せる程度の誤差を含む概念である。
【００１４】
図１は、一形態に係る点眼容器を示す正面図である。また、図２は、点眼容器を示す縦断面図である。図３はノズルを示す図であり、図３の（ａ）はノズルを単体で示す正面図であり、図３の（ｂ）はノズルを単体で示す縦断面図である。また、図４は、図２の部分拡大図である。点眼容器１は、容器本体１０と、ノズル２０と、キャップ４０とを備えている。なお、図１では容器本体１０及びノズル２０と、キャップ４０とが互いに分離している状態を示し、図２では容器本体１０及びノズル２０にキャップ４０が取り付けられた状態を示している。
【００１５】
図１及び図２に示されるように、容器本体１０は、薬液が収容される収容部１１と、収容部１１に形成された口部１３とを有する。収容部１１は、周壁１１ａによって囲まれた内部空間Ｓを有している。本実施形態では、収容部１１は、正面視において角がＲ面取りされた略二等辺三角形状をなしている。また、収容部１１は、図１の紙面に垂直な方向に扁平な形状となっている。
【００１６】
口部１３は、正面視において、収容部１１の斜辺に相当する位置に形成されている。この斜辺に相当する位置には、緩やかな傾斜を有する傾斜面１２が形成されている。また、口部１３は、収容部１１の内外を連通している。口部１３は、断面円形の内周面１３ａを有する略円筒状をなしており、収容部１１から突出している。口部１３の外周面には係止突起１５が形成されている。係止突起１５は、軸方向Ｌの一部において周方向の全周にわたって突出して形状を有している。すなわち、係止突起１５は、円環状をなしている。容器本体１０は、例えば、ダイレクトブロー、インジェクションブロー等のブロー成形によって一体的に形成されている。容器本体の材料としては、例えば、ポリエチレンテレフタレート（ＰＥＴ）等の硬質の樹脂が挙げられる。
【００１７】
キャップ４０は、正面視において頂角部分がＲ面取りされた略二等辺三角形状をなしており、斜辺側が開口したカップ状をなしている。また、収容部１１と同様に、キャップ４０は、図１の紙面に垂直な方向に扁平な形状となっている。キャップ４０の内側には、一対の係止アーム４３が形成されている。一対の係止アーム４３は、頂角部分を挟んだ位置に配置されている。係止アーム４３の先端には、係止突起１５と係合可能な爪部４３ａが形成されている。一対の係止アーム４３間、すなわち、キャップ４０の内側における頂角の位置には、突起部４５が形成されている。突起部４５は、基端側の外径がノズル２０の内径よりも大きく、且つ、先端側の外径がノズル２０の内径よりも小さい円錐台形状をなす筒状となっている。突起部４５は、ノズル２０の先端２０ａを液密にシールし得る。キャップは、例えばポリプロピレン（ＰＰ）等の材料によって一体的に形成されている。
【００１８】
本実施形態では、キャップ４０は、いわゆるツイストキャップである。すなわち、例えば、一対の係止アーム４３間に口部１３の先端側が配置された状態で、キャップ４０を容器本体１０側に押圧することによって、キャップ４０を容器本体１０に取り付けることができる。また、軸Ｌを中心にキャップ４０を回転させることによって、キャップ４０を容器本体１０から取り外すことができる。
【００１９】
ノズル２０は、略円筒状をなしており、その先端が外部に露出するように容器本体１０の口部１３に嵌入されている。ノズル２０は、硬質の樹脂によって形成された内筒２１と、内筒２１を形成する樹脂よりも軟質の樹脂によって形成された外筒３１とを有している。内筒２１を形成する樹脂としては、例えばポリブチレンテレフタレート（ＰＢＴ）、ポリエチレンテレフタレート（ＰＥＴ）、ポリエチレンナフタレート(ＰＥＮ)等が挙げられる。また、外筒３１を形成する樹脂としては、例えばポリエチレン（ＰＥ）、ポリプロピレン（ＰＰ）等が挙げられる。また、外筒３１は、例えばエラストマーによって形成されてもよい。ノズル２０は例えば二色成形によって製造することができる。
【００２０】
図３に示されるように、内筒２１は略円筒状をなしている。内筒２１の基端には、径方向の外側に突出する環状部２２が形成されている。環状部２２の外周面は、拡径部２２ａと、頂部２２ｂと、縮径部２２ｃと、平坦部２２ｄとを有している。拡径部２２ａは、軸方向Ｌにおいて環状部２２の基端から先端に向かって形成されている。拡径部２２ａでは、基端側から先端側に向けて外径が漸次拡径している。頂部２２ｂは、拡径部２２ａの最も先端側であり、環状部２２のなかで最大の外径を有する。本実施形態では、頂部２２ｂはエッジ状に形成されている。頂部２２ｂは、口部１３の内周面１３ａに全周にわたって密着できるように、口部１３の内径と同じ外径を有している。
【００２１】
縮径部２２ｃは、頂部２２ｂの先端側に形成されている。縮径部２２ｃでは、頂部２２ｂを基点として外径が先端側に向けて縮径している。縮径部２２ｃの先端の外径は、拡径部２２ａの基端の外径と同じとなっている。平坦部２２ｄは、縮径部２２ｃの先端を起点として先端側に形成されている。平坦部２２ｄの外径は、縮径部２２ｃの先端と同じとなっており、軸方向Ｌで一定となっている。軸方向Ｌにおいて、縮径部２２ｃが形成されている区間は、拡径部２２ａが形成されている区間よりも短くなっている。そのため、縮径部２２ｃの勾配は、拡径部２２ａの勾配に比べて大きくなっている。
【００２２】
また、内筒２１の基端には、径方向の内側に延在する底壁２５が形成されている。底壁２５の径方向の中心には、底壁２５を軸方向Ｌに貫通する貫通孔２５ａが形成されている。内筒２１における軸方向Ｌの中央よりも先端側には、径方向の外側に突出する抜け止め部２７が形成されている。抜け止め部２７は、内筒２１が外筒３１から抜け落ちることを防止している。
【００２３】
外筒３１は、略円筒状をなし、環状部２２よりも軸方向Ｌの先端側において内筒２１の外周に配置されている。すなわち、内筒２１の環状部２２よりも先端側の外周面は、外筒３１によって被覆されている。外筒３１の外周面には、基端側から順番に、ガイド部３３、第１フィン部３５、第２フィン部３６及び鍔部３７が形成されている。外筒３１の基端は、内筒２１に形成された環状部２２の平坦部２２ｄに連続している。すなわち、外筒３１の基端の外周面は、平坦部２２ｄと同じ外径を有する平坦部３２ａとなっている。
【００２４】
ガイド部３３は、軸方向Ｌにおいて平坦部３２ａの先端に形成されている。ガイド部３３は、外筒３１の外周面から径方向の外側に向かって突出しており、周方向の全周にわたって環状に形成されている。本実施形態では、ガイド部３３は、断面視において径方向の外側に突出するように湾曲している。ガイド部３３の最大外径は、環状部２２の頂部２２ｂの外径と同じとなっている。すなわち、ガイド部３３の最大外径は、口部１３の内径と同じとなっている。
【００２５】
第１フィン部３５は、外筒３１の外周面においてガイド部３３が形成された位置から先端側に離間した位置に形成されている。外筒３１の外周面におけるガイド部３３と第１フィン部３５との間は、平坦部３２ｂとなっている。平坦部３２ｂの外径は、例えば平坦部３２ａよりも小さくてもよい。第１フィン部３５は、外筒３１の外周面から径方向の外側に向かって突出しており、周方向の全周にわたって環状に形成されている。本実施形態では、第１フィン部３５は、軸方向Ｌに板厚を有する円環板状に形成されている。第１フィン部３５の外径は、頂部２２ｂ及びガイド部３３の外径よりも大きくなっている。
【００２６】
第２フィン部３６は、外筒３１の外周面において第１フィン部３５が形成された位置から先端側に離間した位置に形成されている。外筒３１の外周面における第１フィン部３５と第２フィン部３６との間は、平坦部３２ｃとなっている。平坦部３２ｃの外径は、例えば平坦部３２ｂの外径と同じであってよい。第２フィン部３６は、外筒３１の外周面から径方向の外側に向かって突出しており、周方向の全周にわたって環状に形成されている。本実施形態では、第２フィン部３６は、軸方向Ｌに板厚を有する円環板状に形成されている。第２フィン部３６の外径は、頂部２２ｂ及びガイド部３３の外径よりも大きくなっており、第１フィン部３５の外径と同じである。
【００２７】
軸方向Ｌにおいて第２フィン部３６の先端側には、外径が一定の平坦部３２ｄ、外径が一定の平坦部３２ｅ、及び、鍔部３７が順次形成されている。平坦部３２ｄの外径は、例えば平坦部３２ｃの外径と同じであってよい。平坦部３２ｅの外径は、ガイド部３３及び頂部２２ｂの外径と同じとなっている。すなわち、平坦部３２ｅは、口部１３の内径と同じ外径を有している。鍔部３７は、外筒３１の外周面から径方向の外側に突出しており、口部１３の内径よりも大きな外径を有している。
【００２８】
外筒３１において鍔部３７よりも軸方向Ｌの先端側は、口部１３の外側に露出する露出部３１ａとなっている。露出部３１ａは、鍔部３７から先端に向かって外径が漸次縮径する首部３８と、首部３８の先端に形成される頭部３９とを有している。頭部３９の基端は首部３８の先端から径方向の外側に突出している。そのため、首部３８と頭部３９との境界部分には、くびれが形成されている。頭部３９は、先端に向かって漸次縮径しており、外方に向かって凸状の湾曲面３９ａを有している。本実施形態では、首部３８の縮径における軸Ｌに対する勾配に比べて、頭部３９の基端３９ｂが外側に拡径する勾配が大きくなっている。ノズル２０から注出された薬液は、ノズル２０の角度に応じて湾曲面３９ａで液滴を形成し、滴下される。この場合、首部３８と頭部３９との境界部分のくびれによって、液滴が首部３８側に伝うことが抑制されている。これにより、例えば鉛直方向と軸方向Ｌとのなす角度を９０°傾けた状態でも滴下することが可能になっている。また、鉛直方向と軸方向Ｌとのなす角度が０°〜９０°の範囲で、滴下前の液滴と湾曲面３９ａとの接触面積が一定に保持されるので、液滴の大きさが一定に保たれやすくなっている。
【００２９】
外筒３１を構成する樹脂には、着色剤、撥水剤、抗菌剤及び離型剤の少なくとも一つ以上を含む機能性添加剤が含有されていてもよい。着色剤としては、例えば無機顔料、有機顔料、染料等が挙げられる。撥水剤としては、例えばオレフィン・シリコーン共重合体等が挙げられる。抗菌剤としては、例えば金属イオン（銀、銅、亜鉛等）、金属酸化物、金属単体等の無機系抗菌剤、有機ヨード系、ベンツイミダゾール系、イソチアゾリン系、ニトリル系、ピリジン系、トリアジン系、Ｎ−ハロアルキルチオ系、ピリチオン系、有機銅系、有機ヒ素系等の有機系抗菌・防かび剤等が挙げられる。離型剤としては、例えば炭化水素、金属せっけん、アミド、エステル等が挙げられる。なお、本明細書において、離型剤は滑沢剤を包含する概念である。また、樹脂に対する機能性添加剤の含有量は、例えば０．０５〜２０重量％である。
【００３０】
ここで、外筒３１を構成する樹脂に含有させる機能性添加剤としては、外筒３１を構成する樹脂について、以下の条件１〜４を全て満たすものであっても、条件１〜４のうち１つ以上の条件を満たさないものであっても使用することが出来る。なお、本実施形態では、外筒３１を構成する樹脂に含有された機能性添加剤が薬液に溶出しないことから、特に、１つ以上の条件を満たさないものであることが好ましい。なお、本明細書において以下の条件１〜４のうち少なくとも一つを満たさない機能性添加剤を「不適合添加剤」と定義する。
【００３１】
条件１：強熱残分
日本薬局方に規定の一般試験法「プラスチック製医薬品容器試験法」１灰化試験１・１強熱残分に従って試験したとき、その残分は０．１０％以下である。
【００３２】
条件２：重金属
日本薬局方に規定の一般試験法「プラスチック製医薬品容器試験法」１灰化試験１・２重金属に従って試験したとき、検液の色は比較液より濃くない（２０ｍｌ以下）。ただし、容器切片採取量は１．０ｇとする。
【００３３】
条件３：溶出物
外筒３１の樹脂を、厚みが０．５ｍｍ以下のときは、表裏の表面積の合計が約６００ｃｍ２になるように、また、厚みが０．５ｍｍを超えるときは、約３００ｃｍ２になるように切断片を集め、更にこれらを、長さ約３ｃｍ、幅約０．３ｃｍの大きさに細断し、水で洗った後、室温で乾燥する。これを内容約２００ｍＬの硬質ガラス製容器に入れ、水１００ｍＬを正確に加え、適当に密栓した後、７０℃で２４時間加温した後、室温になるまで放置し、この内容液を試験液とする。
別に、水につき、同様の方法で操作し空試験液を調製する。
ただし、加熱殺菌して製するものにあっては、１２１℃で１時間加熱して試験液及び空試験液を調製する。
試験液及び空試験液につき、次の試験を行う。条件３−（１）〜条件３−（６）の全てを満たす場合に、条件３を満たす。
なお、試験に用いる水は日本薬局方規格の「精製水」とする。
条件３−（１）性状試験：液は無色澄明である。
条件３−（２）泡立ち：日本薬局方に規定の一般試験法「プラスチック製医薬品容器試験法」２溶出物試験（Ｉ）泡立ちに従って試験したとき、生じた泡は２分以内にほとんど消失する。
条件３−（３）ｐＨ：日本薬局方に規定の一般試験法「プラスチック製医薬品容器試験法」２溶出物試験（ＩＩ）ｐＨに従って試験したとき、試験液と空試験液の差は１．５以下である。
条件３−（４）過マンガン酸カリウム還元性物質：日本薬局方に規定の一般試験法「プラスチック製医薬品容器試験方法」２溶出物試験（ＩＩＩ）過マンガン酸カリウム還元性物質に従って試験したとき、０．００２ｍｏｌ／Ｌ過マンガン酸カリウム液の消費量の差は１．０ｍＬ以下である。
条件３−（５）紫外吸収スペクトル：日本薬局方に規定の一般試験法「プラスチック製医薬品容器試験法」２溶出物試験（ＩＶ）紫外吸収スペクトルに従って試験したとき、波長２２０ｎｍ以上２４０ｎｍ未満における吸光度は０．３０以下である。
条件３−（６）蒸発残留物：日本薬局方に規定の一般試験法「プラスチック製医薬品容器試験法」２溶出物試験（Ｖ）蒸発残留物に従って試験したとき、その量は１．０ｍｇ以下である。
【００３４】
条件４：細胞毒性
日本薬局方に規定の一般試験法「プラスチック製医薬品容器試験法」７．細胞毒性試験に従って試験したとき、ＩＣ５０（％）は９０％以上である。その他の標準試験方法を用いたときは、結果は陰性である。
【００３５】
図４に示されるように、ノズル２０が口部１３に嵌入された状態では、ノズル２０の外筒３１に形成された鍔部３７が口部１３の先端に当接している。また、口部１３の内径と同じ外径を有する頂部２２ｂ、ガイド部３３及び平坦部３２ｅは、口部１３の内周面１３ａと全周にわたって密着している。また、第１フィン部３５及び第２フィン部３６は、口部１３の内周面１３ａの全周にわたって密着している。第１フィン部３５及び第２フィン部３６は、口部１３の内径よりも大きな外径を有するため、ノズル２０の軸方向Ｌの先端側に撓むように変形している。第１フィン部３５及び第２フィン部３６は比較的軟質の樹脂によって形成されているので、撓みによって破損することが抑制されている。また、ノズル２０を引く抜く方向に外力が加わったとしても、第１フィン部３５及び第２フィン部３６が抵抗となることによって、ノズル２０が抜け難くなる。
【００３６】
一方で、ノズル２０の軸方向Ｌの基端から頂部２２ｂまでの区間である拡径部２２ａは、口部１３の内周面１３ａから離間している。また、頂部２２ｂからガイド部３３までの区間である平坦部２２ｄ及び平坦部３２ａも口部１３の内周面１３ａから離間している。同様に、平坦部３２ｂ，３２ｃ，３２ｄも内周面１３ａから離間している。平坦部２２ｄ，３２ａが面する空間、平坦部３２ｂが面する空間、平坦部３２ｃが面する空間、及び、平坦部３２ｄが面する空間は、それぞれ気密性を有する空気溜りを形成している。
【００３７】
以上説明した点眼容器１では、内筒２１と外筒３１とによって形成されたノズル２０が、容器本体１０に形成された口部１３の内側に嵌入されている。このノズル２０では、外筒３１が内筒２１の環状部２２よりも先端側に配置されている。そのため、ノズル２０の基端側は、外筒３１から露出した内筒２１の環状部２２によって構成される。口部１３にノズル２０が嵌入されている状態では、口部１３の内周面１３ａに環状部２２の頂部２２ｂが密着しているので、容器本体１０に収容された薬液が外筒３１に接触することが抑制される。これにより、外筒３１を形成する樹脂に対して機能性添加剤を含有させたとしても、薬液中に機能性添加剤が溶出することがない。したがって、ノズル２０に機能性を付与しながら、収容された薬液の変質を抑制することができる。また、環状部２２の頂部２２ｂは、内周面１３ａに対して線接触的に密着している。そのため、ノズルが内周面１３ａに面接触で密着する場合に比べて、口部１３に加わるノズルからの外力を小さくすることができる。
【００３８】
また、内筒２１を形成する樹脂は硬質の樹脂であり、外筒３１を形成する樹脂は、内筒２１を形成する樹脂よりも軟質の樹脂となっている。一般に、ポリエチレンのような軟質の樹脂によってノズルが形成される場合、薬液に含まれる成分がノズルを形成する樹脂に吸着されることで、薬液が変質する虞がある。上記の構成では、軟質の樹脂によって形成された外筒３１が薬液と接触しないので、薬液の成分が吸着されることを抑制できる。
【００３９】
また、機能性添加剤は、着色剤、撥水剤、抗菌剤、離型剤のうちの少なくとも一つを含んでいる。この場合、ノズル２０に対して色彩、撥水性、抗菌性、及び、製造時における離型性のうち少なくとも一つを付与することができる。すなわち、外筒３１を構成する樹脂に着色剤が含有されている場合、ノズル２０に所望の色彩を施すことができる。この場合、使用者はノズルを視認しやすくなるため、点眼を容易に行うことができる。また、薬液の成分が結晶化してノズルに付着した際に、結晶を視認しやすく、結晶を容易に除去することができる。また、外筒３１を構成する樹脂に撥水剤が含有されている場合、ノズル２０に撥水性を付与することができる。この場合、ノズル２０から薬液が滴下され易く、点眼を容易に行うことができ、また点眼後のノズル２０における液残りを抑制できるため衛生的である。また、外筒３１を構成する樹脂に抗菌剤が含有されている場合、ノズル２０に抗菌性を付与することができる。この場合、ノズル２０の表面における細菌の増殖を抑制することができる。また、外筒３１を構成する樹脂に離型剤が含有されている場合、ノズル２０に離型性を付与することができる。この場合、製造時において金型から容易にノズル２０を分離することができる。
【００４０】
以上、本発明の実施の形態について図面を参照して詳述したが、具体的な構成はこの実施形態に限られるものではない。
【００４１】
例えば、ノズル２０が略円筒状をなす例を示したが、これに限定されない。ノズルは、容器本体に形成された口部に嵌入できればよい。すなわち、ノズルの形状は、口部の内周の形状に合わせて設計されていればよい。例えば、口部が楕円筒形状である場合には、ノズルの形状は楕円筒形状であってよい。
【００４２】
また、ガイド部３３が外筒３１に形成されている例を示したが、これに限定されない。上記実施形態では、ノズル２０を口部１３に嵌入する際に、ガイド部３３と頂部２２ｂとが内周面１３ａに密着することによって、ノズル２０のぐらつきを抑制することができる。そのため、ガイド部は内筒に形成されていてもよい。この場合、例えば、内筒２１と外筒３１との境界は、ガイド部３３と第１フィン部３５との間の平坦部３２ｂの位置であってもよい。
【００４３】
また、縮径部２２ｃが、軸方向Ｌにおける所定の区間にわたって形成されている例を示したが、これに限定されない。縮径部は頂部２２ｂと平坦部２２ｄとを接続する部分であり、例えば、縮径部は軸方向Ｌに垂直な平面によって形成されてもよい。この場合、頂部と、縮径部と、平坦部の起点との軸方向Ｌにおける位置が一致する。
【００４４】
また、環状に形成されたガイド部３３が、口部１３の内周面１３ａと全周にわたって密着している例を示したが、これに限定されない。例えば、環状に形成されたガイド部が、口部１３の内周面１３ａに対して一部で接触していなくてもよい。また、ガイド部は必ずしも環状に形成されている必要はなく、例えば、外筒３１の外周面から径方向の外側に向かって突出する複数の突起によって形成されていてもよい。
【００４５】
また、第１フィン部３５及び第２フィン部３６の２つのフィン部によって空気溜りを形成する例を示したが、フィン部は３つ以上形成されてもよい。
【符号の説明】
【００４６】
１…点眼容器、１０…容器本体、１３…口部、１３ａ…内周面、２０…ノズル、２１…内筒、２２…環状部、３１…外筒。
【図１】
2018007961.tif 000003
【図２】
2018007961.tif 000004
【図３】
2018007961.tif 000005
【図４】
2018007961.tif 000006